(57)【要約】  不快感を生じさせずに首への負担を軽減することができる快適性に優れた枕を提供すること。所定の平面積と厚みとを有する枕基部（２）を備え、該枕基部（２）の表面側の４隅には前方に向け所定長さ突出した凸部（３Ａ，３Ｂ，３Ｃ，３Ｄ）がそれぞれ一体に設けられており、枕基部（２）の下側（２Ａ）が首の後ろに位置し、下側一対の凸部（３Ｃ，３Ｄ）が肩上方にそれぞれ位置し、上側一対の凸部（３Ａ，３Ｂ）が耳の上方にそれぞれ位置するようにして利用されるようになっている。
2016017010.tif 000002
【特許請求の範囲】
【請求項１】
所定の平面積と厚みとを有する枕基部を備え、該枕基部の表面側の４隅には前方に向け所定長さ突出した凸部がそれぞれ一体に設けられており、  前記枕基部の下側が首の後ろに位置し、下側一対の前記凸部が肩上方にそれぞれ位置し、上側一対の前記凸部が耳の上方にそれぞれ位置するようにして利用されるようになっていることを特徴とする快適枕。
【請求項２】
前記枕基部は、下側の厚みが上側の厚みに比べて厚くなるように形成されていることを特徴とする請求項１に記載の快適枕。
【請求項３】
前記枕基部の上側の裏面側の左右方向両端に、後方に向け所定長さ突出した突出部がそれぞれ形成されていることを特徴とする請求項２に記載の快適枕。
【請求項４】
前記枕基部の裏面側は、中央側に凹部が形成されていることを特徴とする請求項２または３に記載の快適枕。
【請求項５】
前記枕基部の表面側の幅方向中央部には突起が形成されていることを特徴とする請求項１ないし４のいずれかに記載の快適枕。
【請求項６】
前記枕基部には、前記表面側から前記裏面側に貫通する孔が設けられていることを特徴とする請求項１ないし５のいずれかに記載の快適枕。
【発明の詳細な説明】
【技術分野】
【０００１】  飛行機などの乗り物で長距離の移動する際には、座席に長時間着席する場合があるが、乗り物の座席に設置されたヘッドレストは利用者の体格に合わないことが多い。そのため、利用者の首の後ろとヘッドレストとの間に隙間が生まれ、首や頭が均等に支えられず、血行不良や不快感を生じさせるばかりか、肩こり等の遠因となる虞があった、そのため、首の後ろとヘッドレストとの間の隙間を埋めるように枕を挟む等の対処がとられていた。【０００２】  そして近年、より着席時における首元の快適性を高めるため、例えば特許文献１にあるようなＣ字状の枕がある。このＣ字状の枕は、首に巻きつけて使用されることで、後部側が利用者の首の後ろとヘッドレストとの隙間を埋めることができるとともに、両端側が顎と肩の間に位置することで、左右方向に傾いた利用者の頭を支えることができるようになっている。
【先行技術文献】
【特許文献】
【０００３】
【特許文献１】特開２０１４−１８６２４号公報
【発明の概要】
【発明が解決しようとする課題】
【０００４】  しかし、このようなＣ字状の枕は、その両端側で顎を下から支えるために、当該両端側は少なくとも肩から顎までの高さ寸法を要するため、首への圧迫感が強く、血行不良が生じる若しくは呼吸がしづらくなる等の不快感が生じる虞があった。【０００５】  本発明は、このような問題点に着目してなされたもので、不快感を生じさせずに首への負担を軽減することができる快適性に優れた枕を提供することを目的とする。
【課題を解決するための手段】
【０００６】  前記課題を解決するために、本発明の快適枕は、  所定の平面積と厚みとを有する枕基部を備え、該枕基部の表面側の４隅には前方に向け所定長さ突出した凸部がそれぞれ一体に設けられており、  前記枕基部の下側が首の後ろに位置し、下側一対の前記凸部が肩上方にそれぞれ位置し、上側一対の前記凸部が耳の上方にそれぞれ位置するようにして利用されるようになっていることを特徴としている。  この特徴によれば、枕基部は、その下側が利用者の首と座席背もたれとの間に挟み込まれることで安定する。こうして安定した枕基部の下側と一体である上側一対の凸部が耳の上方に位置することで、首より上の位置で利用者の頭部の左右方向の傾きを抑制することができるため、血行不良が生じる若しくは呼吸がしづらくなる等の不快感が無く快適性に優れる。また、下側一対の凸部が肩上方にそれぞれ位置することで、枕基部の上側一対の凸部を耳の上方にそれぞれ位置決めさせることができる。【０００７】  前記枕基部は、下側の厚みが上側の厚みに比べて厚くなるように形成されていることを特徴としている。  この特徴によれば、利用者の首と座席背もたれとの間に挟み込まれる枕基部の下側が厚みを持って形成されていることによる安定性の向上に加え、厚みの薄い上側が頭部側に配置されることで頭部が後方下側にもたれることになり、下側の枕基部の安定性が向上する。【０００８】  前記枕基部の上側の裏面側の左右方向両端に、後方に向け所定長さ突出した突出部がそれぞれ形成されていることを特徴としている。  この特徴によれば、厚みの薄い枕基部の上側が突出部を支点として中折れできるようになっており、この中折れにより上側一対の凸部がそれぞれ内側に集まるように傾斜するため、利用者の頭部の左右方向の傾きを効果的に抑制することができる。【０００９】  前記枕基部の裏面側は、中央側に凹部が形成されていることを特徴としている。  この特徴によれば、枕基部の裏面側と座席背もたれとの摩擦力が凹部の分だけ小さくなっているため、体ごと左右に移動した場合等において枕が体と一体に動くことで、上側一対の凸部への負荷を軽減できる。【００１０】  前記枕基部の表面側の幅方向中央部には突起が形成されていることを特徴としている。  この特徴によれば、利用者の首及び頭が突起と接することで枕基部の表面側との間に若干の空間を形成でき通気性が高い。【００１１】  前記枕基部には、前記表面側から前記裏面側に貫通する孔が設けられていることを特徴としている。  この特徴によれば、頭部と枕基部の表面側との間の空間と、枕基部の裏面側とが孔により連通されるため通気性が高い。
【図面の簡単な説明】
【００１２】
【図１】実施例における快適枕を示す斜視図である。
【図２】乗り物の座席にて快適枕を利用した状態を示す側面図である。
【図３】同じく快適枕の正面図である。
【図４】同じく快適枕の側面図である。
【図５】（ａ）は、図３におけるＡ−Ａ断面図であり、（ｂ）は、図２におけるＢ−Ｂ断面図である。
【図６】同じく図３におけるＣ−Ｃ断面図である。
【図７】図２における一部拡大上面図である。
【図８】快適枕の変形を示す上面図である。
【図９】ベッド上等で快適枕を利用した状態を示す側面図である。
【発明を実施するための形態】
【００１３】  本発明に係る快適枕を実施するための形態を実施例に基づいて以下に説明する。
【００１４】  実施例に係る快適枕は、比較的弾力性に富むスポンジ、低反発ウレタンなど加工しやすくかつ比較的通気性の良い素材で一体加工されており、ここでは図示しないカバーが被覆され、枕として使用に供されるものである。
【００１５】  図１に示される快適枕１は所定の平面積と厚みとを有する枕基部２を備え、枕基部２の表側の４隅には前方に向け所定長さ突出した凸部３Ａ，３Ｂ，３Ｃ，３Ｄがそれぞれ一体に形成されており、幅方向における２組の凸部３Ａ，３Ｂと凸部３Ｃ，３Ｄ同士との間に人の頭部及び首を位置させることができるようになっている。
【００１６】  快適枕１は、図２と図９に示されるように、利用者が座席に着座している状態で利用する場合と、フルフラットなベッド等で利用する場合とによって使用態様が異なる。ここでは説明の都合上、図２のような乗り物の座席にて枕を利用した状態における頭側を枕基部２の上側２Ｂ、首の位置する方向を枕基部２の下側２Ａとして説明する。
【００１７】  図２に示されるように、利用者が座席に着座している状態で利用する場合においては、上下一方側の凸部３Ａ，３Ｂを上側（以下、上側の凸部３Ａ，３Ｂという）として耳の上付近に配置され、他方の凸部３Ｃ，３Ｄを下側（以下、下側の凸部３Ｃ，３Ｄという）として利用者の首元に配置されるような向きで利用される。
【００１８】  図２及び図４から図６に示されるように、枕基部２は上側２Ｂが下側２Ａに比べて薄く形成されている。そのため、枕基部２は、厚みのある下側２Ａが利用者の首と座席背もたれとの間に挟み込まれることで安定するようになる。こうして安定した枕基部２の下側と一体である枕基部２の上側一対の凸部３Ａ，３Ｂが耳の上方に位置で利用者の頭部の左右方向の傾きを抑制するようになっている。
【００１９】  また、このように首より上の位置で利用者の頭部の左右方向の傾きを抑制することができるため、血行不良が生じる若しくは呼吸がしづらくなる等の不快感が無く快適性に優れる。また、下側一対の凸部３Ｃ，３Ｄが肩上方にそれぞれ位置することで、快適枕１の下方への移動が規制されるため、枕基部２の上側一対の凸部３Ａ，３Ｂを耳の上方にそれぞれ位置決めさせることができる。
【００２０】  図２に示されるように、上側の凸部３Ａ，３Ｂと下側の凸部３Ｃ，３Ｄとの距離は、下側の凸部３Ｃ，３Ｄが利用者の肩に乗った状態で、上側の凸部３Ａ，３Ｂが利用者の耳の上部近傍に位置するように設計されており、枕基部２の表面側２ａに耳が密着することがなく、耳に圧迫感を感じず、耳の火照、発汗などによる寝苦しさを感じることがないばかりか、機内アナウンス等を聞き逃すことがない。
【００２１】  図１及び図３に示されるように、枕基部２の表面側２ａの幅方向中央には、突起４，４が上下方向に離間されて設けられており、これら突起４，４により頭部と枕基部２の表面側２ａとの間に若干の隙間が生まれやすく、通気性を高めてムレを防止することができる。
【００２２】  また、枕基部２には、表面側２ａと裏面側２ｂとを貫通する４つの孔５，５，５，５（図３及び図６参照）が設けられており、これら孔５，５，５，５の周辺が弾性変形しやすくなっている。そのため、使用時には枕基部２が即座に頭部の形に変形し、首への負担を軽減することができる。尚、孔５，５，５，５は、この枕基部２の弾性変形を容易とする機能に限れば、必ずしも貫通せずに底を有する穴状であってもよい。
【００２３】  図２に示されるように、一般的な飛行機等の座席のヘッドレストは、上部側が前方に突出した形状となっている。これに対し、枕基部２の厚みの薄い上側２Ｂが頭部側に配置されることで頭部の過度な前傾を減少させることができ、快適性に優れる。加えて、厚みの薄い上側２Ｂが頭部側に配置されることで頭部が後方下側にもたれる形で、枕基部２の下側２Ａに荷重がかかることになるため、枕基部２の安定性が更に向上することになる。
【００２４】  また、図５から図７に示されるように、枕基部２の裏面側２ｂの中央側には内側に凹むラウンド面２ｃ（凹部）が設けられており、このラウンド面２ｃを除く枕基部裏面側２ｂの左右両端が後方に向け所定長さ突出した突出部６，６として機能するようになっている。
【００２５】  図７に示されるように、枕基部２の特に上側２Ｂの裏面側２ｂは突出部６，６で座席背もたれと接触する。すなわち枕基部２裏面側２ｂと座席背もたれとの摩擦力がラウンド面２ｃの分だけ小さくなっているため、例えば利用者の体ごと左右に移動する場合において、枕が体とが一体に動きやすく、体に対して頭が別々に左右に傾斜することが防がれ、首を痛めることがない。加えて、利用者の左右方向の移動時における上側一対の凸部３Ａ，３Ｂへの負荷を軽減でき、凸部３Ａ，３Ｂを大型化する必要がない。
【００２６】  図５（ａ），（ｂ）に示されるように、枕基部２の裏面側２ｂには中央側に内側に凹むラウンド面２ｃが設けられているため、枕基部２の特に上側２Ｂの裏面２ｂと座席背もたれとは突出部６，６のみで当接しており、枕基部２はラウンド面２ｃと座席背もたれとの間に空間が形成されるようにして設置されることになる（図７参照）。
【００２７】  そのため、図８に示されるように、突出部６，６を支点として厚みの薄い枕基部２の特に上側２を中折れできるようになっており、この中折れにより上側一対の凸部３Ａ，３Ｂがそれぞれ内側に集まるように移動して傾斜するため、利用者の頭部の左右方向の傾きを効果的に抑制することができる。
【００２８】  枕基部２の幅方向中央部は、突起４，４（図５（ｂ）参照）により厚みを有しているため形状変形が少ないことから、利用者の頭部等の荷重を受けた際に、突起４，４がその荷重を前記中折れに作用する移動量に効果的に変化させることができ、凸部３Ａ，３Ｂを確実に移動させることができる。更に、孔５，５，５，５（図６参照）が形成されることにより枕基部２の中央側が弾性変形しやすくなっていることも、枕基部２の中折れに効果的に作用し、凸部３Ａ，３Ｂを確実に移動させるようになっている。
【００２９】  また、図６及び図７に示されるように、孔５，５，５，５により枕基部２の表面側２ａとの間の空間と、枕基部２の裏面２ｂと座席背もたれとの間の空間とが連通することになるため、低反発ウレタンなどの比較的通気性の劣る素材を利用した場合であっても通気性を高くすることができる。
【００３０】  図９は、フルフラットなベッド等で利用者が完全に横になった状態で枕を利用する場合を示した図である。このような場合は、上述の使い方と異なり、頭側に枕基部２の下側２Ａを、首側に枕基部２の上側２Ｂを配置させて利用する。これにより、下側の凸部３Ｃ，３Ｄが耳の上付近に配置され、上側の凸部３Ａ，３Ｂが利用者の首元に配置される。
【００３１】  これによれば、厚みの少ない枕基部２の上側２Ｂが首と寝床との間に位置し、厚みのある枕基部２の下側２Ａが頭部を若干持ち上げるように傾斜させることになるため、頚椎が自然な角度となり快眠性に優れる。
【００３２】  尚、本実施における枕は、図２及び図９に示されるように、利用者は快適枕１の上に仰向けになり、上側の凸部３Ａ，３Ｂと下側の凸部３Ｃ，３Ｄとの間に耳を位置させるような態様で利用されることが想定されているが、利用方法はこれに限らず、例えば、快適枕１上で横向きなって利用した場合は、上側の凸部３Ａまたは３Ｂと下側の凸部３Ｃまたは３Ｄとの間に鼻を位置させて利用してもよい。この場合、快適枕１が呼吸の邪魔になることがなく快適である。
【符号の説明】
【００３３】１                快適枕２                枕基部２ａ              表面側２ｂ              枕基部裏面側２ｂ              裏面２ｃ              ラウンド面（凹部）２Ａ              下側２Ｂ              上側３                溝３Ａ，３Ｂ        上側の凸部３Ｃ，３Ｄ        下側の凸部４，４            突起５，５，５，５    孔６，６            突出部
【図１】
2016017010.tif 000003
【図２】
2016017010.tif 000004
【図３】
2016017010.tif 000005
【図４】
2016017010.tif 000006
【図５】
2016017010.tif 000007
【図６】
2016017010.tif 000008
【図７】
2016017010.tif 000009
【図８】
2016017010.tif 000010
【図９】
2016017010.tif 000011
【国際調査報告】
2016017010.tif 000012
2016017010.tif 000013
2016017010.tif 000014
2016017010.tif 000015